(57)【要約】【課題】  プランジャの後端面とカバーの底面との間に形成される後端室を外部から異物の侵入を確実に防止して外部に連通する呼吸通路を安価に形成した電磁弁を提供する。【解決手段】  コイルに通電されると、プランジャが電磁力によりコアに吸引され、スプール弁がバネ力に抗してプランジャとともに移動され弁孔に開口する各ポート間の流路面積を制御する。プランジャの後端面とカバーの底面との間に形成された後端室の容積がプランジャの移動により変化すると、呼吸通路に保持された作動油が後端室に出入りする。呼吸通路は、コイル体の樹脂で成形された外周面に成形された凹溝と、この外周面に嵌合されたカバーの円筒状内周面とにより形成される。呼吸通路の容積はプランジャの移動による後端室の容積変化量より大きいので、異物が混入した作動油が外部から後端室に流入することがない。【選択図】    図１
2006083879.tif 000002
【特許請求の範囲】
【請求項１】
同軸線上に直列に配置され軸線上に貫通穴が夫々穿設されたヨークおよびコアと、該ヨークおよびコアの円筒部に嵌合されコイルを樹脂部で被覆したコイル体と、該コイル体の樹脂で成形された外周面に嵌合するとともに前記ヨークおよびコアとともにソレノイドの固定子を構成するカバーと、前記ヨークの貫通穴に嵌合して電磁力により移動され後端面が前記カバーの底面と対向するプランジャと、前記コアに接合され前記貫通穴と同軸線上に弁孔が穿設された弁ハウジングと、前記弁孔に摺動可能に嵌合されてバネ力により前記プランジャに当接されプランジャとともに移動して弁孔に開口する各ポート間の流路面積を制御するスプール弁とを備え、前記プランジャの後端面と前記カバーの底面との間に形成され作動油が充填された後端室が、前記カバーの円筒状内周面と前記コイル体との間に形成された呼吸通路を介して前記カバーの前記コア側端部に形成された切欠き部から外部に連通する電磁弁において、前記呼吸通路が、前記コイル体の樹脂で成形された外周面に成形された凹溝と、前記コイル体の外周面に嵌合された前記カバーの円筒状内周面とにより形成され、前記呼吸通路の容積が前記プランジャの移動による前記後端室の容積変化量より大きいことを特徴とする電磁弁。
【請求項２】
請求項１において、前記プランジャが前記ヨークの貫通穴に摺動可能に密嵌合され、前記プランジャと前記スプール弁との間に形成される中間室の容積が前記プランジャおよびスプール弁の移動に拘わらず変化しないように、前記スプール弁の前記コア側で前記弁孔と密嵌合する部分の径と前記プランジャの径とが等しいことを特徴とする電磁弁。
【請求項３】
請求項１において、前記プランジャと前記スプール弁との間に形成された中間室が前記後端室と連通され、該中間室が外周を前記ハウジング側に固定され、内周を前記スプール弁側に固定されたダイヤフラムにより液密的に分離されたことを特徴とする電磁弁。
【請求項４】
請求項１乃至３のいずれか１項において、前記凹溝が前記コイル体の樹脂で成形された外周面に螺旋状に少なくとも1周成形されたことを特徴とする電磁弁。
【請求項５】
請求項１乃至４のいずれか１項において、前記切欠き部は、前記コイルにコネクタをリード線で接続するために前記カバーの端部に形成された切欠き部であることを特徴とする電磁弁。
【発明の詳細な説明】
【技術分野】
【０００１】
本発明は、電磁力によるプランジャの移動によりスプール弁を弁孔内で移動させて弁孔に開口する各ポート間の流路面積を制御する電磁弁に関する。
【背景技術】
【０００２】
リニアソレノイドのコイルに通電されると磁気吸引力によりプランジャが移動され、このプランジャの移動によりスプール制御弁のスプール弁が弁孔内で移動されて弁孔に開口する各ポート間の流路面積を制御する電磁弁では、プランジャの移動によりプランジャ後端面が露出する後端室の容積が変化する。この容積変化にともなって作動油が後端室に出入可能なように呼吸通路を設けることが特許文献１に記載されている。即ち、特許文献１に記載の電磁弁では、収容部１３、磁気抵抗部１５、吸引部１４が順次形成された固定コア１２にプランジャ１７が摺動可能に嵌合され、固定コア１２の外周面とヨーク１１の内周面との間に形成された環状空間にコイル２０が収納されてリニアソレノイド１０が構成され、ヨーク１１の前端にはスプール制御弁４０の弁ハウジング４１が固定されている。弁ハウジング４１にはスプール５０が摺動可能に嵌合されバネ力によりプランジャ１７に当接されている。ヨーク１１の後端にはカバー３０が固定され、プランジャ１７の後端面が露出する空間１００を覆っている。リニアソレノイド１０のコイル２０に通電されて磁気吸引力によりプランジャ１７が移動されると、空間１００の容積が変化する。この容積変化に応じて作動油が空間１００に出入する呼吸通路１０１がカバー３０に形成されている。
【特許文献１】特開２００２−３１０３２２号公報（第３頁、図１，２）。
【発明の開示】
【発明が解決しようとする課題】
【０００３】
特許文献１に記載の電磁弁では、空間１００の容積変化に応じて作動油が呼吸通路１０１を通って外部から空間１００に出入することにより、異物が空間１００に侵入しプランジャ１７と固定コア１２との間の摺動箇所に噛みこむことを防止するために、空間１００と呼吸通路１０１、カバー３０の外部と呼吸通路１０１を夫々連通する連通孔３２ａ，３３ａが軸線に対して反対側に形成されている。即ち、特許文献１の図１，２に示されているように、カバー３０に形成された隔離内壁３２が固定コア１２の外周に嵌合されて、プランジャ１７の後端面が露出する空間１００が形成され、隔離内壁３２の図２の上方に連通孔３２ａが設けられている。そして、カバー３０に隔離内壁３２ａを囲んで形成された隔離外壁３３がヨーク１１の後端面に当接され、隔離外壁３３に連通孔３３ａが連通孔３２ａと反対側に形成されている。
【０００４】
ところが、カバー３０の隔離内壁３２と隔離外壁３３との間に形成された図２の呼吸通路１０１では、十分な長さを確保することができず、空間１００に充填された作動油が呼吸通路１０１を通って外部に容易に流出し、空間１００に作動油を保持することが困難である。また、コイルの外周面を覆うヨーク１１とカバー３０を別途設け、カバー３０に隔壁内壁３２および隔壁外壁３３を形成してヨーク１１の後端面に固定するのでコスト高になる不具合があった。
【０００５】
この不具合を解消するために、貫通穴が夫々穿設されたヨークおよびコアを同軸線上に直列に配置し、外周を樹脂部で被覆されたコイル体をヨークおよびコアの円筒部に嵌合し、カバーをコイル体の樹脂で成形された外周面に嵌合するとともにヨークおよびコアのフランジ部と当接させてソレノイドの固定子を構成し、電磁力により移動されるプランジャをヨークの貫通穴に嵌合し、プランジャの後端面と前記カバーの底面との間に形成されて作動油が充填される後端室をカバー外部に連通するために、一端が後端室に連通し、他端がカバーのコア側端部に形成された切欠き部から外部に連通する溝をカバーの内周面に呼吸通路として刻設することが行われている。これによると、呼吸通路の長さを十分長くすることができるが、カバーの内周面に溝を刻設しなければならずコスト高になる不具合があった。
【０００６】
本発明は、上記した従来の不具合を解消するためになされたもので、プランジャの後端面とカバーの底面との間に形成される後端室を外部から異物が侵入することを確実に防止して外部に連通する呼吸通路を安価に形成した電磁弁を提供することを目的とする。
【課題を解決するための手段】
【０００７】
上記課題を解決するために、請求項１に係る発明の構成上の特徴は、同軸線上に直列に配置され軸線上に貫通穴が夫々穿設されたヨークおよびコアと、該ヨークおよびコアの円筒部に嵌合されコイルを樹脂部で被覆したコイル体と、該コイル体の樹脂で成形された外周面に嵌合するとともに前記ヨークおよびコアとともにソレノイドの固定子を構成するカバーと、前記ヨークの貫通穴に嵌合して電磁力により移動され後端面が前記カバーの底面と対向するプランジャと、前記コアに接合され前記貫通穴と同軸線上に弁孔が穿設された弁ハウジングと、前記弁孔に摺動可能に嵌合されてバネ力により前記プランジャに当接されプランジャとともに移動して弁孔に開口する各ポート間の流路面積を制御するスプール弁とを備え、前記プランジャの後端面と前記カバーの底面との間に形成され作動油が充填された後端室が、前記カバーの円筒状内周面と前記コイル体との間に形成された呼吸通路を介して前記カバーの前記コア側端部に形成された切欠き部から外部に連通する電磁弁において、前記呼吸通路が、前記コイル体の樹脂で成形された外周面に成形された凹溝と、前記コイル体の外周面に嵌合された前記カバーの円筒状内周面とにより形成され、前記呼吸通路の容積が前記プランジャの移動による前記後端室の容積変化量より大きいことである。
【０００８】
請求項２に係る発明の構成上の特徴は、請求項１において、前記プランジャが前記ヨークの貫通穴に摺動可能に密嵌合され、前記プランジャと前記スプール弁との間に形成される中間室の容積が前記プランジャおよびスプール弁の移動に拘わらず変化しないように、前記スプール弁の前記コア側で前記弁孔と密嵌合する部分の径と前記プランジャの径とが等しいことである。
【０００９】
請求項３に係る発明の構成上の特徴は、請求項１において、前記プランジャと前記スプール弁との間に形成された中間室が前記後端室と連通され、該中間室が外周を前記ハウジング側に固定され、内周を前記スプール弁側に固定されたダイヤフラムにより液密的に分離されたことである。
【００１０】
請求項４に係る発明の構成上の特徴は、請求項１乃至３のいずれか１項において、前記凹溝が前記コイル体の樹脂で成形された外周面に螺旋状に少なくとも1周成形されたことである。
【００１１】
請求項５に係る発明の構成上の特徴は、請求項１乃至４のいずれか１項において、前記切欠き部は、前記コイルにコネクタをリード線で接続するために前記カバーの端部に形成された切欠き部であることである。
【発明の効果】
【００１２】
上記のように構成した請求項１に係る発明によれば、コイルに通電されると、プランジャが電磁力によりコアに吸引され、スプール弁がバネ力に抗してプランジャとともに移動され弁孔に開口する各ポート間の流路面積を制御する。プランジャの後端面とカバーの底面との間に形成された後端室の容積がプランジャの移動により変化すると、呼吸通路に保持された作動油が後端室に出入りする。このとき、呼吸通路の容積がプランジャの移動による後端室の容積変化量より大きいので、異物が混入した作動油が外部から後端室に流入することがない。また、コイルを樹脂部で被覆してコイル体を成形するときに外周面に凹溝を成形し、このコイル体の外周面にカバーの円筒状内周面を嵌合させて呼吸通路を形成できるので、長い呼吸通路を安価に形成することができる。そして、後端室に充填された作動油が外部に流出することは、呼吸通路が長いことと、作動油の流出にともなう後端室の負圧化とが相俟って確実に防止できる。
【００１３】
上記のように構成した請求項２に係る発明によれば、プランジャとスプール弁との間に形成される中間室の容積がプランジャおよびスプール弁の移動に拘わらず変化しないので、請求項１に係る発明の効果と同様の効果を奏することができるとともに、中間室に外部から異物が侵入することを確実に防止することができる。
【００１４】
上記のように構成した請求項３に係る発明によれば、中間室をダイヤフラムによりプランジャ側室とスプール弁側室とに液密的に分離し、プランジャの両端面が夫々露出する後端面とプランジャ側室とを連通したので、請求項１に係る発明と同様の効果を奏するとともに、後端室およびプランジャ側室に異物の侵入がなく、充填された作動油が外部に流出することを防止できる。また、プランジャ側室に外部から異物が侵入することをダイヤフラムにより確実に防止することができる。
【００１５】
上記のように構成した請求項４に係る発明によれば、呼吸通路をコイル体の樹脂で成形された外周面に螺旋状に少なくとも１周凹設したので、特に電磁弁を水平状態に配置したとき、作動油が呼吸通路の下側半周部分に確実に保留され、後端室と外部とを遮断することができる。
【００１６】
上記のように構成した請求項５に係る発明によれば、コイルとコネクタとをリード線で接続するためにカバーに形成された切欠き部を利用して呼吸通路を外部に開口させているのでコスト低減することができる。
【発明を実施するための最良の形態】
【００１７】
以下、本発明の第１の実施形態に係る電磁弁１０を図１に基づいて説明する。電磁弁１０は、主として、ソレノイド部１１と、ソレノイド部１１に結合されたスプール制御弁１２とによって構成されている。ソレノイド部１１は、同軸線上に直列に配置されたヨーク１３およびコア１４と、コイルを樹脂部で被覆したコイル体１５と、コイル体１５の外周面に嵌合するとともにヨーク１３およびコア１４とともにソレノイドの固定子を構成するカバー１６と、ヨーク１３の貫通穴２１に密嵌合して電磁力により移動されるプランジャ１７等を備えている。スプール制御弁１２は、コア１４に接合され弁孔１８が穿設された弁ハウジング１９と、弁孔１８に摺動可能に嵌合されてバネ力によりプランジャ１７に当接されプランジャ１７とともに移動して弁孔１８に開口する各ポート間の流路面積を制御するスプール弁２０等を備えている。
【００１８】
ヨーク１３およびコア１４には、貫通孔２１，２２、円筒部２３，２４およびフランジ部２５，２６が夫々形成され、円筒部２３，２４に非磁性体からなる円筒体２７が嵌合されることにより、ヨーク１３およびコア１４が同軸線上に直列に配置され、フランジ部２５，２６の内端面に円筒体２７の両端が当接して円筒部２３，２４の対向する端面間に空隙２８が磁気抵抗部として形成されている。ヨーク１３およびコア１４の円筒部２３，２４には、コイル２９を樹脂部３０で被覆したコイル体１５が円筒体２７を介して嵌合され、コイル体１５の両端面はフランジ部２５，２４６の内端面に僅かな隙間を持って対向している。磁性体で形成された有底円筒状のカバー１６が、コイル体１５の樹脂で成形された外周面３３に円筒状内周面で嵌合している。カバー１６はコア１４のフランジ部２２外周面に嵌合するとともに、ヨーク１３のフランジ部２１の外端面と当接して、コア１４、ヨーク１３、プランジャ１７とともにコイル体１５を取巻く磁気回路を形成している。
【００１９】
プランジャ１７の後端面とカバー１６の底面との間には後端室３５が形成され、後端室３５には作動油が充填されている。この後端室３５はコイル体１５の樹脂で成形された外周面３３に凹設された呼吸通路３６を介してカバー１６のコア側端部に形成された切欠き部３７から外部に連通している。呼吸通路３６は、コイル２９を樹脂部３０で被覆してコイル体１５を成形するときに、樹脂部３０の外周面３３に螺旋凹溝３８が少なくとも一周同時に成形され、この螺旋凹溝３８の外周がコイル体１５の外周面３３に嵌合するカバー１６の円筒状内周面により覆われて形成されている。呼吸通路３６は、その容積がプランジャ１７の移動による後端室３５の容積変化量より大きくなる長さに形成されている。螺旋凹溝３８の一端はヨーク１３のフランジ部２５の外端面に半径方向に刻設されたヨーク溝３６と整合して後端室３５に連通し、他端はコイル２９にコネクタ４０をリード線で接続するためにカバー１６のコア１４側端部に形成された切欠き部３７と整合して外部に連通している。コイル体１５のコア１４側端部にはコネクタ４０が設けられた連結部３１が樹脂で半径方向に一体成形され、コネクタ４０は連結部３１が切欠き部３７を貫通することによりカバー１６の外側に配置されている。コネクタ４０は連結部３１に埋設されたリード線によりコイル２９に接続されている。
【００２０】
コア１４のフランジ部２４の外端面と弁ハウジング１９のフランジ部後端面とを接合させた状態で、カバー１６の開口端部が弁ハウジング１９のフランジ部にカシメにより結合されることにより、コア１４と弁ハウジング１９延いてはソレノイド部１１とスプール制御弁１２とが結合される。カバー１６内に収納されたヨーク１３とコア１４とは、円筒体２７により空隙２８を確保してカバー１６の底部と弁ハウジング１９のフランジ部との間で軸方向に固定されている。
【００２１】
弁ハウジング１９には、径の異なる第１弁孔４１と第２弁孔４２とを備えた弁孔１８がコア１４の貫通孔２２と同軸線上に形成されている。弁孔１８に摺動可能に嵌合されたスプール弁２０には、第２弁孔４２より大径の第１弁孔４１に嵌合する第１および第２ランド部４３，４４と、第２弁孔４２に嵌合する第３ランド部４５が設けられている。第２ランド部４４と第３ランド部４５は隣接して設けられ、その間に段差部４６が形成されている。弁孔１８には第１弁孔４１と第２弁孔４２との間に段差部４６と対応して環状溝４７が刻設され、環状溝４７にフィードバックポート４８が開口している。第１および第２ランド部４３，４４は軸線方向に所定距離へだてて形成され、第１および第２ランド部４３，４４の間には小径部４９が設けられている。第１弁孔４１には小径部４９に対応して環状溝５０が刻設され、環状溝５０に出力圧を出力する出力ポート５１が開口している。出力ポート５１は図略の連通路によりフィードバックポート４８に連通されている。第１弁孔４１には、第１および第２ランド部４３，４４の小径部４９側の各端部に対応して環状溝５２，５３が刻設され、環状溝５２，５３にはリザーバに連通する排出ポート５４および作動油が供給される供給ポート５５が開口している。第２ランド部４４の小径部４９側の端部外周面には断面積が漸減する漸減溝６０が刻設され、スプール弁２０がバネ力に抗して移動されたとき、供給ポート５５と出力ポート５１との間の流路面積が漸減して閉鎖するようになっている。
【００２２】
弁孔１８にはドレンポートが開口するバネ収容穴５６が第１弁孔４１に続いて設けられ、バネ収容穴５６の開口端に螺合されたプラグ５７とスプール弁２０の端面との間に圧縮スプリング３２が介在され、スプール弁２０は圧縮スプリング３２のバネ力によりプランジャ１７に向かって付勢され、スプール弁２０の第３ランド部４５の端面から突出されたロッド部５８でプランジャ１７に当接し、プランジャ１７とともに移動する。
【００２３】
ヨーク１３の貫通穴２１に摺動可能に密嵌合されたプランジャ１７の前端面とスプール弁２０の第３ランド部４５との間にはコア１４の貫通孔２２を含めて中間室５９が形成され、ロッド部５８は中間室５９を通ってプランジャ１７と当接している。そして、中間室５９の容積がプランジャ１７およびスプール弁２０の移動に拘わらず変化しないように、スプール弁２０のコア１４側で第２弁孔４２と密嵌合する第３ランド部４５の径とプランジャ１７の径とは等しくなされている。
【００２４】
次に、上記第１の実施形態の作動について説明する。コイル２９が非通電状態においては、プランジャ１７およびスプール弁２０はプランジャ１７がカバー１６の底面に当接するまで圧縮スプリング３２のバネ力により押圧されている。このとき、出力ポート５１は排出ポート５４との連通が遮断され、供給ポート５５と連通されて高圧に保持されている。
【００２５】
コイル２９に通電されると、プランジャ１７がコア１４に吸引されてスプール弁２０が圧縮スプリング３２のバネ力に抗して移動されることにより、第２ランド部４４が環状溝５３と協働して供給ポート５５と出力ポート５１との間の流路面積を漸減し、第１ランド部４３が環状溝５２と協働して出力ポート５１と排出ポートとの間の流路面積を増大する。これにより、出力ポート５１から送出される出力圧は、スプール弁２０の移動に応じて減圧される。この出力圧はフィードバックポート４８を介して環状溝４７に導入され段差部４６に作用して、第２ランド部４４と第３ランド部４５との面積差を乗じたフィードバック力を圧縮スプリング３２のバネ力と反対方向にスプール弁２０に作用させる。コイル２９に通電される電流値に応じてコア１４がプランジャ１７を吸引する吸引力に、このフィードバック力を加算した力が圧縮スプリング３２のバネ力とバランスする位置にスプール弁２０が保持されることにより、出力圧はコイル２９に通電される電流値に応じて減少する圧力に制御される。
【００２６】
プランジャ１７の後端面とカバー１６の底面との間に形成された後端室３５および呼吸通路３６内には、電磁弁１０の組付け時に作動油が充填されている。そして、後端室３５の容積がプランジャ１７の移動により変化すると、呼吸通路３６に保持された作動油が後端室に出入りする。このとき、呼吸通路３６の容積はプランジャ１７の移動による後端室３５の容積変化量より大きくなされているので、異物が混入した作動油が外部から後端室３５に流入することがない。
【００２７】
呼吸通路３６は、コイル２９を樹脂部３０で被覆してコイル体１５を成形するときに、樹脂部３０の外周面３３に同時に成形された螺旋凹溝３８の外周をカバー１６の円筒状内周面で覆って形成されているので、その容積がプランジャ１７の移動による後端室３５の容積変化量より十分大きくなる長さに低コストで形成することができる。このように呼吸通路３６が長いことと、作動油の流出にともなう後端室３５の負圧化とが相俟って、後端室３５に充填された作動油が外部に流出することは確実に防止できる。
【００２８】
さらに、呼吸通路３６はコイル体１５の樹脂で成形された外周面３３に螺旋状に少なくとも１周成形された螺旋凹溝３８とカバー１６の円筒状内周面とにより形成されているので、特に電磁弁１０を水平状態に配置したとき、作動油が呼吸通路３６の下側半周部分に確実に保留され、後端室３５は呼吸室に保留された作動油によって外部から確実に遮断される。
【００２９】
スプール弁２０のコア１４側で第２弁孔４２と密嵌合する第３ランド部４５の径とプランジャ１７の径とが等しいので、プランジャ１７とスプール弁２０との間に形成された中間室５９の容積は、プランジャ１７およびスプール弁２０の移動に拘わらず変化しない。これにより、中間室５９を外部と連通する必要がなくなり、中間室に外部から異物が侵入することを防止できる。
【００３０】
上記第１の実施形態では、プランジャ１７をヨーク１３の貫通孔２１に密嵌合し、後端室３５と中間室５９とを分離しているが、図２に示す第２の実施形態では、プランジャ１７の外周面に連通溝６１を軸線方向に刻設して後端室３５と中間室５９とを連通している。そして、中間室５９が後端室３５と連通するプランジャ側室６２とスプール弁２０の端面が露出するスプール弁側室６３とにダイヤフラム６４により液密的に分離されている。ダイヤフラム６４の外周はコア６７のフランジ部端面と弁ハウジング１９のフランジ部端面との間に挟持され、内周はスプール弁２０のロッド部５８に固定されている。
【００３１】
後端室３５、プランジャ側室６２および呼吸通路３６内には、電磁弁１０の組付け時に作動油が充填されている。そして、連通溝６１により連通された後端室３５とプランジャ側室６２との容積がプランジャ１７およびダイヤフラム６４の移動により変化すると、呼吸通路３６に保持された作動油が後端室３５およびプランジャ側室６２に出入りする。このとき、呼吸通路３６の容積はプランジャ１７およびダイヤフラム６４の移動による後端室３５とプランジャ側室６２との容積変化量より大きくなされているので、異物が混入した作動油が外部から後端室３５およびプランジャ側室６２に流入することがない。スプール弁２０およびダイヤフラム６４の移動によるスプール弁側室６３の容積変化はドレンポート６５からの呼吸作用により吸収されている。
【００３２】
なお、第２の実施形態では、ヨーク６６およびコア６７は一体的に形成され、ヨーク６６およびコア６７の円筒部６８，６９の対向する先端は磁気抵抗部７０により連結されている。カバー７１の円筒部内周には、底部から順に厚肉部７２、中肉部７３、薄肉部７４が形成され、厚肉部７２はヨーク６６の円筒部６８の後端部に嵌合し、中肉部７３はコイル体１５の外周面３３と嵌合し、薄肉部７４はコア６７のフランジ部７５と嵌合している。コア６７のフランジ部７５の前端面と弁ハウジング１９のフランジ部後端面とを接合させるとともに、カバー７１の中肉部７３の端面をフランジ部７５の後端面に当接させた状態で、薄肉部７４が弁ハウジング１９のフランジ部にカシメにより結合されることにより、コア６７と弁ハウジング１９延いてはソレノイド部１１とスプール制御弁１２とが結合される。
【００３３】
呼吸通路３６は、螺旋凹溝３８が成形されたコイル体１５の樹脂部３０の外周面３３にカバー７１の中肉部７３の円筒状内周面が嵌合して形成されている。螺旋凹溝３８の一端は、コイル体１５の後端面とカバー７１の厚肉部７２の端面との間およびヨーク６６の円筒部６８の後端部に半径方向に刻設されたヨーク溝７６を介して後端室３５に連通し、他端はカバー７１のコア６７側端部に形成された切欠き部３７と整合して外部に連通している。他の構成および作動は第１の実施形態と同様であるので、図２において対応する構成部品に同一の参照番号を付して説明を省略する。
【００３４】
上記実施の形態では、コイル体１５の樹脂で成形された外周面３３に螺旋凹溝３８を少なくとも１周成形しているが、コイル体１５の外周面３３に環状の凹溝を少なくとも１周成形し、この環状凹溝に連続して外周面３３に成形された凹溝の一端をヨーク１３のヨーク溝３６と整合させ、他端をカバー１６の切欠き部３７と整合させるようにしてもよい。また、コイル体１５の外周面３３に矩形状の凹部を成形し、この凹部に連続して外周面３３に成形された凹溝の一端をヨーク１３のヨーク溝３６と整合させ、他端をカバー１６の切欠き部３７と整合させるようにしてもよい。
【００３５】
さらに、上記実施の形態では、スプール弁２０の小径の第３ランド部４５側にソレノイド弁１０を配置しているが、大径の第１ランド部４３側にソレノイド弁１０を配置し、第３ランド部４５の端面に圧縮スプリング３２を当接させるようにしてもよい。このようにすると、コイルに非通電状態において、出力ポートは供給ポートとの連通が遮断され、排出ポートと連通されて圧力０に保持される。コイルに通電されると、供給ポートと出力ポートとの間の流路面積が漸増し、出力ポートと排出ポートとの間の流路面積が漸減するので、出力圧はスプール弁の移動に応じて増圧される。コイルに通電される電流値に応じてコアがプランジャを吸引する吸引力が、圧縮スプリングのバネ力にフィードバック力を加算した力とバランスする位置にスプール弁が保持される。
【図面の簡単な説明】
【００３６】
【図１】第１の実施形態に係る電磁弁の縦断面図。
【図２】第２の実施形態に係る電磁弁の縦断面図。
【符号の説明】
【００３７】
１０…電磁弁、１１…ソレノイド部、１２…スプール制御弁、１３，６６…ヨーク、１４，６７…コア、１５…コイル体、１６，７１…カバー、１７…プランジャ、１８…弁孔、１９…弁ハウジング、２０…スプール弁、２１，２２…貫通孔、２３，２４，６８，６９…円筒部、２５，２６，７５…フランジ部、２８…空隙、２９…コイル、３０…樹脂部、３１…連結部、３２…圧縮スプリング、３３…外周面、３４…底面、３５…後端室、３６…呼吸通路、３７…切欠き部、３８…螺旋凹溝、３９，７６…ヨーク溝、４０…コネクタ、４１，４２…第１、第２弁孔、４３，４４，４５…第１，第２、第３ランド部、４６…段差部、４７，５０，５２，５３…環状溝、４８…フィードバックポート、４９…小径部、５１…出力ポート、５４…排出ポート、５５…供給ポート、５６…バネ収容穴、５９…中間室、６１…連通溝、６２…プランジャ側室、６３…スプール弁側室、６４…ダイヤフラム、７０…磁気抵抗部。
【図１】
2006083879.tif 000003
【図２】
2006083879.tif 000004